(57)【要約】【課題】有用な多数のトンネルを有する単一チューブ型封止容器及び塗布器を提供すること。【解決手段】長尺状の円柱状のケーシング１を備え、且つそのケーシング１の長さ方向に沿って二つの半球状のトンネル２，３が形成され、それらの二つの半球状のトンネル同士２，３がそのケーシング１内で仕切り壁４によって隔離されている。
2005504598.tif 000002
【特許請求の範囲】
【請求項１】
物質が収納可能なトンネルを複数備えたケ-シングで形成し、
前記ケーシングの封止端部から所定の距離を隔てた箇所に、少なくとも刻み痕が設けてある、
多数のトンネルを有する単一チューブ型封止容器及び塗布器。
【請求項２】
前記ケーシングの二つの封止端部を、包み体によって包んだことを特徴とする、
請求項１に記載の多数のトンネルを有する単一チューブ型封止容器及び塗布器。
【請求項３】
前記包み体を円形状に形成したことを特徴とする、
請求項２に記載の多数のトンネルを有する単一チューブ型封止容器及び塗布器。
【請求項４】
前記包み体を尖鋭状に形成したことを特徴とする、
請求項２に記載の多数のトンネルを有する単一チューブ型封止容器及び塗布器。
【請求項５】
物質を収納可能なトンネルを複数備えたケーシングで形成し、
その両端部から所定の距離を隔てた箇所に、複数の刻み痕が設けてある、
多数のトンネルを有する単一チューブ型封止容器及び塗布器。
【請求項６】
前記ケーシングのそれぞれの封止端部を、包み体によって包んだことを特徴とする、
請求項５に記載の多数のトンネルを有する単一チューブ型封止容器及び塗布器。
【請求項７】
前記包み体を円形状に形成したことを特徴とする、
請求項６に記載の多数のトンネルを有する単一チューブ型封止容器及び塗布器。
【請求項８】
前記包み体を尖鋭状に形成したことを特徴とする、
請求項６に記載の多数のトンネルを有する単一チューブ型封止容器及び塗布器。
【発明の詳細な説明】
【技術分野】
【０００１】
本発明は、多数のトンネルを有する単一チューブ型封止容器および塗布器に関するものである。
【背景技術】
【０００２】
多くの薬品や化学物品や粘着物品は、使用する前に、二種類または二種類以上の物質を混合させて製品として完成させている。たとえば、髪染め薬剤や快速乾燥化粘着片などの製品がその一例である。混合前の物質は、使用前、分けて収納しておく必要があり、使用時に所定の比率で混合して使用に供する。
しかしながら、それらの物質は一度大気に暴露されると使用できなくなるため、全部を使い切るか若しくは大気にさらされないように保存する必要がある。このため、これらの類型の包装は、それぞれの物質を分けて、気密性の小さな容器に収納し、封止していた。
【発明の開示】
【発明が解決しようとする課題】
【０００３】
本発明は、包装しやすく、使用に便利であり、操作しやすく、携帯に便利であり、衛生と経済のニーズに対応し、且つ自動的に収納でき、容器だけではなく塗布器としても使用でき、操作するのに大きな力が不要で、物質の分量を細かく量る必要のない、多数のトンネルを有する単一チューブ型封止容器及び塗布器を提供することを、その主要な解決としている。
【課題を解決するための手段】
【０００４】
前記の課題を解決するために、本発明による多数のトンネルを有する単一チューブ型封止容器及び塗布器は、その本体内に複数本のトンネル同士を形成し、それぞれのトンネルの内部にそれぞれ異なる物質を収納し、それぞれのトンネルの両端部を封止し、それらの複数本のトンネル同士を有する単一チューブ型の封止容器及び塗布器のそれぞれの封止端部より所定の距離を離れた箇所に刻み痕を形成し、その刻み痕に沿って容器を折り曲げると、その刻み痕の部位で容器を折って切ることができ、トンネル同士内の物質をトンネル外へ放出させることができるものである。
【発明を実施するための最良の形態】
【０００５】
図１は、本発明の実施の形態を示す説明図であり、多数のトンネルを有する単一チューブ型封止容器及び塗布器のケーシング１の両端部５，６がまだ封止されていない状態で、この実施の形態においては、多数のトンネルを有する単一チューブ型封止容器及び塗布器には、長尺状の円柱形のケーシング１を使用し、且つそのケーシング１の長さ方向に沿って二つの半球状のトンネル２，３が形成され、それらの二つの半球状のトンネル２，３は、前記ケーシング１内において仕切り壁４によって隔離されている。
【０００６】
図２は、本実施の形態の多数のトンネルを有する単一チューブ型封止容器及び塗布器の末端部の様子を示す説明図で、長尺状の円柱状のケーシング１には、そのケーシング１の長さ方向に沿って二つの半球状のトンネル２，３が形成されており、それらの二つの半球状のトンネル同士２，３はそのケーシング１内に設けた仕切り壁４で隔離されている。
【０００７】
図３は、本実施の形態の多数のトンネルを有する単一チューブ型封止容器及び塗布器を示す説明図であり、その両端部のうち一方の端部５が封止されたものである。
【０００８】
図４は、本実施の形態の多数のトンネルを有する単一チューブ型封止容器及び塗布器を示す説明図であり、二つのトンネル２，３の中にそれぞれ異なる物質を充填して、それらの物質のトンネル２，３内における充填の高さにより、それらの物質の比率をコントロールすることができる。
【０００９】
図５は、本実施の形態の多数のトンネルを有する単一チューブ型封止容器及び塗布器を示す説明図であり、前記トンネル同士２，３内にそれぞれ異なる物質を充填し、容器の両端部５，６を封止したものである。
【００１０】
図６は、本実施の形態の多数のトンネルを有する単一チューブ型封止容器及び塗布器を示す説明図であり、それぞれの封止端部５，６に所定の距離を隔てた箇所に、それぞれ刻み痕７，８を形成したものである。
【００１１】
図７は、本実施の形態の多数のトンネルを有する単一チューブ型封止容器及び塗布器を示す説明図であり、封止端部５，６をそれぞれ包み体９，１０で包み込み、それらの包み体９，１０が封止端部５，６に近接する刻み痕７，８を包みこんだものである。この二つの封止端部５，６を包みこむ包み体９，１０は、円形または尖鋭形に形成することができ、または一方の端部６には円形の包み体１を、他方の端部５には尖鋭形の包み体９を配置したものである。
【００１２】
また、図８は本発明の多数のトンネルを有する単一チューブ型封止容器及び塗布器の他の実施の形態を示す説明図であり、そのトンネル２，３のケーシング１の側面部を円形または他の形状に形成したものである。このトンネル２，３は、内部に収容する物質の比率に応じて前記トンネル２，３の断面形状を変更することができ、これによって混合する割合をコントロールすることができる。
【００１３】
図９は、図８の実施の形態の多数のトンネルを有する単一チューブ型封止容器及び塗布器を示す説明図であり、封止端部５，６を刻み痕７，８箇所で切断し、トンネル２，３内の物質を、各トンネル２，３よりケーシング１の端部に配置した包み体１０内に導入したものである。
【００１４】
図１０は、多数トンネルを有する単一チューブ型封止容器及び塗布器の他の実施の形態を示す説明図であり、多くの刻み痕１１，１２がケーシング１と直交するように形成されたもので、各刻み痕１１、１２は封止端部５，６から所定のギャップを隔てた箇所に形成されており、物質を収納しているケーシング１の二つの封止端部５，６に形成する刻み痕１１，１２を折ることによって、流出させる物質の量をコントロールすることができる。物質を収納しているケーシング１の一方の端部が切れた際に、その切れた端部に堆積された物質はその切れた箇所に堆積して外に流れでず、一方ケーシング内の物質はそのケーシング１の他の端部を折ることによって排出することができる。
【００１５】
図１１は、多数トンネルを有する単一チューブ型封止容器及び塗布器の他の実施の形態を示す説明図であり、多くの刻み痕１３，１４がケーシング１と所定の角度をなして形成されたものである。この刻み痕１３、１４は、それぞれの封止端部５，６から所定のギャップを隔てた部位に形成されており、物質が堆積しているケーシング１の両端部の封止端部５，６のある刻み痕１３，１４を折ることによって流れ出す物質の量をコントロールし、物質が堆積してあるケーシング１の一端部が切れた場合に、その切れた端部に堆積される物質がその切れた部分に収納されて放出できなくなり、また、ケーシング中における物質が、そのケーシング１の他の端部が切れた際に放出されるようになる。
【図面の簡単な説明】
【００１６】
【図１】本発明の多数のトンネルを有する単一チューブ型封止容器及び塗布器のケーシング１の両端部５，６が封止されていない様子を示す説明図である。
【図２】本発明の多数のトンネルを有する単一チューブ型封止容器及び塗布器の断面を示した図である。
【図３】本発明の多数のトンネルを有する単一チューブ型封止容器及び塗布器の一方の端部５が封止されている図である。
【図４】本発明の多数のトンネルを有する単一チューブ型封止容器及び塗布器の一方の端部５が封止され、且つトンネル２、３にはそれぞれ異なる物質が充填されている様子を示す説明図である。
【図５】本発明の多数のトンネルを有する単一チューブ型封止容器及び塗布器の前記トンネル２，３内にそれぞれ異なる物質を充填してから、その両端部５，６を封止した形態を示す説明図である。
【図６】本発明の多数のトンネルを有する単一チューブ型封止容器及び塗布器の封止端部５，６より所定の距離を隔てた箇所に刻み痕７，８を形成した様子を示す説明図である。
【図７】本発明の多数のトンネルを有する単一チューブ型封止容器及び塗布器のそれぞれの封止端部５，６を包み体９，１０で包み、また刻み痕７，８まで包み込んだ形態を示す説明図である。
【図８】本発明の多数のトンネルを有する単一チューブ型封止容器及び塗布器の他の実施の形態を示す端面図である。
【図９】本発明の多数のトンネルを有する単一チューブ型封止容器及び塗布器における二つの封止端部５，６が切れて、収納される物質がそれぞれのトンネル２，３より多数のトンネルを有する単一チューブ型封止容器及び塗布器の端部の包み体１０に導入された状態を示す図である。
【図１０】本発明の多数のトンネルを有する単一チューブ型封止容器及び塗布器において、複数の刻み痕１１１，１２がケーシングと直交するように形成されており、その刻み痕はそれぞれの封止端部５，６から所定のギャップを隔てた箇所に形成された形態を示す説明図である。
【図１１】本発明の多数のトンネルを有する単一チューブ型封止容器及び塗布器の他の実施の形態であり、複数の刻み痕１３、１４がケーシングと所定の角度を成しながら、それぞれの封止端部５，６の近傍の所定の距離を離れた箇所に形成された形態を示す説明図である。
【符号の説明】
【００１７】
１      ケーシング
２      トンネル
３      トンネル
４      仕切り壁
５      端部
６      端部
７      刻み痕
８      刻み痕
９      包み体
１０    包み体
１１    刻み痕
１２    刻み痕
１３    刻み痕
１４    刻み痕
【国際公開パンフレット】
2005504598.tif 000003
2005504598.tif 000004
2005504598.tif 000005
2005504598.tif 000006
2005504598.tif 000007
2005504598.tif 000008
2005504598.tif 000009
2005504598.tif 000010
2005504598.tif 000011
2005504598.tif 000012
2005504598.tif 000013
2005504598.tif 000014
2005504598.tif 000015
2005504598.tif 000016
【国際調査報告】
2005504598.tif 000017